(57)【要約】【課題】多方向から広告等情報が得られ、パネルの組み立てが簡単でかつデザイン性とスマートさに優れ、さらに環境に配慮されたマルチパネルディスプレイの提供にある。【解決手段】所望の文字Ｍ、画像Ｇを施した複数の方形状パネル１０と、その角に取り付け、隣接するパネル１０同士を結合を可能とする結合部材２０とからなり、その結合部材２０は、熱可塑性樹脂に古紙を５１重量％以上混入した射出成形品で、さらにパネル１０は、段ボールもしくは再生ポリスチレンを用いた発泡ポリスチレンペーパーでなるマルチパネルディスプレイ１とするものである。【選択図】図１
2005017820.tif 000002
【特許請求の範囲】
【請求項１】
所望の文字、画像等を施した複数の方形状のパネルと、該方形状のパネルの角に取り付けられ、該パネル同士を、隣接する位置に平行にまたは垂直に結合を可能とする結合部材とからなることを特徴とするマルチパネルディスプレイ。
【請求項２】
上記結合部材は、熱可塑性樹脂に古紙を５１重量％〜７０重量％の範囲で混入した射出成形品であることを特徴とする請求項１記載のマルチパネルディスプレイ。
【請求項３】
上記方形状のパネルは、段ボールもしくは再生ポリスチレンを用いた発泡ポリスチレンペーパー、もしくはこれらに所望の文字、画像等が施されている薄手の紙基材を積層したものでなることを特徴とする請求項１または２記載のマルチパネルディスプレイ。
【発明の詳細な説明】
【０００１】
【発明の属する技術分野】
本発明は、正面からのみならず多方向から広告等情報が得られるマルチパネルディスプレイに関するものであり、特に複数のパネルとそれらを結合（ジョイント）する結合部材（ジョイントパーツ）が古紙等再生材料でなる環境に配慮されたマルチパネルディスプレイに関する。
【０００２】
【従来の技術】
近年、売り場などでの販売競争の激化にともない、ＰＯＰ（Ｐｏｉｎｔ  ｏｆＰｕｒｃｈｓｅ）ディスプレイにも様々な工夫がなされるようになってきている。さらにこれらＰＯＰディスプレイ分野にも環境配慮型が必須の条件となってきている。
【０００３】
上記のような背景にともない、これらディスプレイとして、例えば正面からのみならず多方向から広告等情報が得られるようなディスプレイでかつ環境配慮型のディスプレイが望まれている。
【０００４】
従来、正面からのみならず多方向から広告等情報が得られるようなディスプレイとして、例えば、鉄板などの平板を折り曲げて三方面となるコの字型の枠状に形成し、一方面に平板でなる扉を蝶番で蝶着し、四方の周面に広告記事を表示した広告塔がある（例えば、特許文献１参照。）。
【０００５】
【特許文献１】
実公昭３７−１２８２８号公報
【０００６】
【発明が解決しようとする課題】
しかし、上記の従来技術におけるマルチ広告塔においては、正面からのみならず多方向から広告等情報が得られるものではあるが、蝶番でパネルを止めたり、パネルに鉄板等を用いていることなど、マルチパネルディスプレイとしては、その組み立てが困難でかつスマートさとデザイン性に欠け、さらに環境には全く配慮されたものではなかった。
【０００７】
本発明は、かかる従来技術の問題点と要望点を解決するものであり、その課題とするところは、正面からのみならず多方向から広告等情報が得られるマルチパネルディスプレイにおいて、パネルの組み立てが簡単でかつデザイン性とスマートさに優れ、さらに環境に配慮されたマルチパネルディスプレイを提供することにある。
【０００８】
【課題を解決するための手段】
本発明に於いて上記課題を達成するために、まず請求項１の発明では、所望の文字、画像等を施した複数の方形状のパネルと、該方形状のパネルの角に取り付けられ、該パネル同士を、隣接する位置に平行にまたは垂直に結合を可能とする結合部材とからなることを特徴とするマルチパネルディスプレイとしたものである。
【０００９】
上記請求項１の発明によれば、複数の方形状のパネルとそれらの角に取り付けられ、これらパネル同士を、隣接する位置に平行にまたは垂直に結合させることができる結合部材とからなるので、組み立てが容易で、かつデザイン性とスマート性に優れるマルチパネルディスプレイとすることができる。
【００１０】
また、請求項２の発明では、上記結合部材は、熱可塑性樹脂に古紙を５１重量％〜７０重量％の範囲で混入した射出成形品であることを特徴とする請求項１記載のマルチパネルディスプレイとしたものである。
【００１１】
上記請求項２の発明によれば、結合部材を、熱可塑性樹脂に古紙を５１重量％〜７０重量％の範囲で混入した射出成形品とすることによって、使用後の廃棄に際し、この結合部材を紙製品として廃棄することができ、かつ焼却処理においても、紙分が多く入っているので燃焼カロリーが少なくなることから焼却炉を傷めないというメリットもあり、さらに古紙を用いているので、より環境に配慮されたマルチパネルディスプレイとすることができる。
上記古紙の混入量が５１重量％に満たないと、使用後の廃棄に際しこの結合部材をプラスチック製品扱いとして廃棄しなければならず、また焼却処理ではプラスチックが多い分だけ燃焼カロリーが高くなることから焼却炉を傷めたり、燃焼効率の悪さから黒煙が発生したりなどで環境面から不利となり、かつ古紙の利用率を下げることになるので、さらに環境に対する配慮に欠けることになる。逆に古紙の混入量が７０重量％を越えると射出成形機での加熱による流動特性が悪くなって射出成形が困難となり、かつ射出成形品の強度にも欠ける結合部材となるので好ましくない。
【００１２】
さらにまた、請求項３の発明では、上記方形状のパネルは、段ボールもしくは再生ポリスチレンを用いた発泡ポリスチレンペーパー、もしくはこれらに所望の文字や画像等が施されている薄手の紙基材を積層したものでなることを特徴とする請求項１または２記載のマルチパネルディスプレイとしたものである。
【００１３】
上記請求項３の発明によれば、方形状のパネルを、段ボールもしくは再生ポリスチレンを用いた発泡ポリスチレンペーパーとすることによって、厚い割には軽いパネルなので、組み立て等がし易く、かつ所望の文字、画像等を印刷で施し易いもので、さらにこれらに所望の文字、画像等が施されている薄手の紙基材を積層したものとすることによって、この文字や画像等の印刷がより美粧性に優れたものとすることができ、さらにまた、上記パネルのいずれもが古紙や再生樹脂が使用されているので、より環境に配慮されたマルチパネルディスプレイを提供できる。
【００１４】
【発明の実施の形態】
以下本発明の実施の形態を図面を用いて詳細に説明する。
【００１５】
本発明は、例えば図１の斜視図に示すように、正面からのみならず多方向（四方向）から多数の文字（Ｍ）や画像（Ｇ）でなる広告等情報が得られるマルチパネルディスプレイ（１）に関するものであり、特に複数のパネル（１０）とそれらを結合（ジョイント）する結合部材（２０）が古紙や再生樹脂等の再生材料で成形されている環境配慮型のマルチパネルディスプレイ（１）に関するものである。
【００１６】
そこで、上記請求項１に係る発明は、例えば図１に示すように、４枚の正方形状のパネル（１０）で四角筒を形成し、この四角筒の各コーナーに結合部材（２０）を取り付けて４枚の正方形状のパネル（１０）を結合せしめ、さらに４組の四角筒の隣接する各コーナー同士をこの結合部材（２０）で平行に結合せしめたマルチパネルディスプレイ（１）とし、正面からのみならず四方向から、かつ１６枚のパネル（１０）に施された文字（Ｍ）や画像（Ｇ）の情報が得られるマルチパネルディスプレイ（１）である。
【００１７】
このように、１６枚の文字（Ｍ）や画像（Ｇ）が施されたパネル（１０）と２０個の結合部材（２０）のみで、容易に組み立てができ、デザイン性とスマート性に優れ、かつ多くの情報が発信できるマルチパネルディスプレイ（１）とすることができる。
【００１８】
これら多数のパネルを用いたマルチパネルディスプレイの形態として、例えば図２（ａ）および（ｂ）の斜視図に示すように、上下４枚の正方形状のパネル（１０）は、ロの字状に結合した四角筒（１０Ａ）と、それぞれの四角筒（１０Ａ）の横に３枚の正方形状のパネル（１０）をコの字状に結合したコの字型筒（１０Ｂ）が結合されている形状のマルチパネルディスプレイ（１）とすることもできる。
【００１９】
さらにまた、例えば図３の斜視図に示すように、６枚の縦長方形状のパネル（１２）が、横方向に並び各端辺同士が直角に交差する所謂衝立形状に組み合わされ、それぞれ縦長方形状のパネル（１２）の隣接するコーナー同士に結合部材（２０）が平行に取り付けられて結合せしめられて、両端のパネル（１２）の最端部のコーナーにも結合部材（２０）を取り付けて安定化させた形状のマルチパネルディスプレイ（１）とすることもできる。
【００２０】
また、上記請求項２に係る発明は、例えば図４の斜視図に示すように、方形状のパネルのコーナーが取り付けられるような、即ち中心部（２２）より放射状に四方にのびるコーナー（Ｃ）が直角形状の溝（３０）を有する結合部材（２０）が、熱可塑性樹脂に古紙が５１重量％〜７０重量％の範囲、好ましくは６０重量％近傍で混入された射出成形品としたもので、この結合部材（２０）の使用後の廃棄に際し、紙製品扱いとなって廃棄処理が容易で、かつ燃焼カロリーが少なく焼却処理が容易な環境配慮型の射出成形品からなるものである。
【００２１】
上記結合部材（２０）を構成する熱可塑性樹脂としては、射出成形が可能なものであれば特に限定するものではないが、焼却処理で有害ガスが発生するポリ塩化ビニルやポリ塩化ビニルデン等を除き、例えば、ポリプロピレンやポリエチレン等ポリオレフィン系樹脂、ポリエチレンテレフタレート等ポリエステル樹脂、ナイロン等ポリイミド樹脂、アクリル系樹脂などが挙げられ、この中でもポリプロピレンやポリエチレン等ポリオレフィン系樹脂が射出成形性と経済性とから最も好適なものとして用いられる。また上記のポリエステル樹脂などは融点が高く燃焼カロリーが多いことから焼却処理で炉を傷めたりするので環境上からは推奨することはできない。
【００２２】
また、上記結合部材（２０）を構成する古紙としては、例えば新聞紙、雑誌等を含めた古紙の場合、これら古紙を粉砕し、上記の熱可塑性樹脂に加熱混入して射出成形するか、あるいは新聞紙、雑誌等古紙から再生紙を作る段階でできる乾燥された再生パルプを上記の熱可塑性樹脂に加熱混入してもよい。この再生パルプを利用する場合、途中の脱墨工程（水中に分散された古紙からインキを機械的・化学的方法で遊離させ、これをスクリーン洗浄または浮上法で取り除く工程）を除いた黒っぽい再生パルプでも、上記の新聞紙、雑誌等古紙を粉砕したものと同様に、結合部材（２０）が黒色系のものとする場合は、コスト的にも優位なものとして用いることができる。なお、所望の色の結合部材（２０）とする場合は、上記脱墨工程を経た再生パルプを用いるか、あるいは白色の再生紙を粉砕したものに、熱可塑性樹脂との加熱混入時に所望の色の顔料を分散して得ることができる。
【００２３】
上記結合部材（２０）の形状としては、例えば図４に示すように、中心部（２２）より放射状に四方に延びて、そのコーナー（Ｃ）が直角形の４つの溝（３０）を有し、その幅（Ｗ）は、この溝（３０）に取り付けられるパネルの厚さと同等に設定してある。さらにこの溝（３０）に取り付けられるパネルが、しっかり固定されるように、例えばこの溝（３０）の両側壁（３０ａ）に縦波形状の凹凸を形成したものが好適なものとして使用される。
さらに４つの溝（３０）の間のコーナーに空隙（３０ｂ）を設けて全体を軽く、さらに材料を少なくすることもできる。
【００２４】
上記結合部材（２０）の溝（３０）の数は、その使い方によって、図示しないが中心部より放射状に、あるいはＴの字に３方に延びてそのコーナーが直角形の３つの溝としてもよく、または平行に２方に延びた２つのみの溝としてもよいが、上記のように４つの溝（３０）とすると、いかなるパネルの組み合わせ方にも対応が可能なことから最も好適なものとして使用することができる。
【００２５】
また、上記結合部材（２０）の全体の形状として、例えば図４に示すような丸形状でもよく、図示しないが四角形状、あるいは多角形状でもよく、さらに溝（３０）以外の部分をも空洞を形成して材料の節減とともに軽いものとし、より環境に配慮された結合部材（２０）とすることができる。
【００２６】
さらにまた、上記請求項３に係る発明は、例えば図１に示す正方形状のパネル（１０）を、ある程度厚みがあり、腰強度を有する段ボール、あるいは再生ポリスチレン樹脂を用いた発泡スチレンペーパー、あるいはこれらに印刷適性と美粧性に優れるアート紙やコート紙を積層したものでなるマルチパネルディスプレイ（１）とするものでる。
【００２７】
上記段ボールとしては、パネルのサイズ等によってその種類が異なり、例えば１つの正方形状のパネルのサイズが３００ｍｍ角の場合、例えば図５の側断面図に示すように、縦波形状のフルート（５０）の高さ（Ｈ）が２．５〜２．８ｍｍ、波山（５０ａ）の数が５０本／３０ｃｍで、上下のライナー（５１、５２）を合わせた厚さ（Ｄ）が約５ｍｍ程度のＢ段ボールが腰の強さ等から好適に用いられ、このＢ段ボール単体に直接文字や画像を施すには、アニロックスローラーを介して水性または油性のインキを供給するフレキソ法で印刷するのが一般的で、部数が多くない場合はスクリーン印刷法で印刷するかあるいはインキジェット方式で印字することもできる。
【００２８】
また、このＢ段ボールを構成している上側ライナー（５１）を除いた形状の片段ボール（フルート（５０）に下側ライナー（５２）のみを接着したもの）のライナーの無い面に、既に文字や画像等をオフセット印刷方式等で印刷されているアート紙あるいはコート紙等を上側ライナー（５１）として貼り合わせ、美粧段ボールとしたものを用いて、美粧性の段ボールパネル（１０ａ）とすることもできる。
【００２９】
また、上記再生ポリスチレン樹脂を用いた発泡スチレンペーパーとしては、パネルのサイズが３００ｍｍ角の場合で厚さ５ｍｍ程度の再生発泡スチレンペーパーが用いられ、この再生発泡スチレンペーパーに直接文字や画像を施すには、アニロックスローラーを介して油性のインキを供給するフレキソ法で印刷するか、あるいは油性インキを用いるスクリーン印刷法で印刷することもできる。
【００３０】
また、例えば図６の側断面図に示すように、再生発泡スチレンペーパー（６０）の表面に、既に画像（Ｇ）をオフセット印刷方式等で印刷されているアート紙あるいはコート紙でなる紙基材（６１）を貼り合わせることによって、より美粧性に優れるスチレンペーパーパネル（１０ｂ）とすることができる。
【００３１】
さらにまた、方形状のパネル（１０）を構成する上記段ボールもしくは再生発泡スチレンペーパーのいずれもが古紙や再生樹脂を使用しているので、上記の古紙が５１重量％以上混入されている結合部材（３０）に加え、より環境配慮型のマルチパネルディスプレイ（１）を提供することができる。
【００３２】
【発明の効果】
本発明は以上の構成であるから、下記に示す如き効果がある。
即ち、上記請求項１に係る発明において、所望の文字、画像等を施した複数の方形状のパネルと、該方形状のパネルの角に取り付けられ、該パネル同士を、隣接する位置に平行にまたは垂直に結合ができる結合部材のみからなるので、組み立てが容易で、かつデザイン性とスマート性に優れるマルチパネルディスプレイを提供できる効果がある。
【００３３】
また、上記請求項２に係る発明においては、上記結合部材を、熱可塑性樹脂に古紙を５１重量％〜７０重量％の範囲で混入した射出成形品とすることによって、使用後の廃棄に際し、紙製品として廃棄することができ、かつ焼却処理においても燃焼カロリーが少ないことから焼却炉を傷めないというメリットもあり、さらに古紙を用いているのでより環境に配慮されたマルチパネルディスプレイとすることができる。
【００３４】
さらにまた、上記請求項３に係る発明においては、上記方形状のパネルを、段ボールもしくは再生ポリスチレンを用いた発泡ポリスチレンペーパーとすることによって、厚い割には軽く組み立て等がし易く、かつ所望の文字、画像等を印刷で施し易く、さらにこれらに所望の文字、画像等が施されている薄手の紙基材を積層したものとすることによって、この文字や画像等の印刷がさらに美粧性に優れたものとすることができ、さらにまた、上記パネルのいずれもが古紙や再生樹脂が使用されているので、より環境に配慮されたマルチパネルディスプレイを提供できる効果がある。
【００３５】
従って本発明は、正面からのみならず多方向から広告等情報が得られるマルチパネルディスプレイで、特に複数のパネルとそれらを結合する結合部材が古紙等再生材料でなる環境配慮型のマルチパネルディスプレイとして、優れた実用上の効果を発揮する。
【図面の簡単な説明】
【図１】本発明のマルチパネルディスプレイの一実施の形態を説明するための斜視図である。
【図２】本発明のマルチパネルディスプレイの他の一実施の形態を示すもので、
（ａ）は、組み立てられた斜視図であり、
（ｂ）は、組み立て前の斜視図である。
【図３】本発明のマルチパネルディスプレイの他の一実施の形態を説明するための斜視図である。
【図４】本発明のマルチパネルディスプレイを構成する結合部材の一実施の形態を説明するための斜視図である。
【図５】本発明のマルチパネルディスプレイを構成するパネルの一実施の形態を側断面で表した説明図である。
【図６】本発明のマルチパネルディスプレイを構成するパネルの他の一実施の形態を側断面で表した説明図である。
【符号の説明】
１‥‥マルチパネルディスプレイ
１０‥‥正方形状のパネル
１０Ａ‥‥ロの字状に結合した四角筒
１０Ｂ‥‥コの字状に結合したコの字型筒
１０ａ‥‥段ボールパネル
１０ｂ‥‥スチレンペーパーパネル
１２‥‥縦長方形状のパネル
２０‥‥結合部材
２２‥‥結合部材の中心部
３０‥‥結合部材の溝
３０ａ‥‥結合部材の溝の側壁
３０ｂ‥‥結合部材の空隙
５０‥‥フルート
５０ａ‥‥フルートの波山
５１‥‥上側ライナー
５２‥‥下側ライナー
６０‥‥発泡スチレンペーパー
６１‥‥紙基材
Ｃ‥‥溝のコーナー
Ｄ‥‥パネルの厚さ
Ｇ‥‥画像
Ｈ‥‥フルートの波山の高さ
Ｍ‥‥文字
Ｗ‥‥溝の幅
【図１】
2005017820.tif 000003
【図２】
2005017820.tif 000004
【図３】
2005017820.tif 000005
【図４】
2005017820.tif 000006
【図５】
2005017820.tif 000007
【図６】
2005017820.tif 000008